(57)【要約】【課題】正確な量の内容物を外部に吐出し易い定量吐出キャップ、及び、定量吐出容器を提供する。【解決手段】定量吐出キャップ１２には、下端開口が容器本体１０の内部に向けて開口し、上端開口１９ａが上方に開口する流出筒１９と、流出筒１９の上方側に設けられ、容器本体１０が倒立状態にされたときに、容器本体１０内の内容物２が流出筒１９を通して流入して貯留される貯留体２１を設ける。さらに定量吐出キャップ１２には、流出筒１９の周域に凹状に設けられ、容器本体１０が正立状態に戻されたときに、貯留体２１内の内容物２が流入し余剰の内容物２が上端開口１９ａから容器本体１０に戻される計量体２０と、計量体２０の上方に貯留体２１と並べて配置されるノズル部１５を設ける。貯留体２１の内容積は計量体２０の内容積よりも大きく設定する。【選択図】図１
2013249109.tif 000002
【特許請求の範囲】
【請求項１】
流動性の内容物を収容する容器本体に取り付けられ、定量の内容物を吐出する定量吐出キャップにおいて、
下端開口が前記容器本体の内部に向けて開口し、上端開口を有する流出筒と、
前記流出筒の上方に設けられ、前記容器本体が倒立状態にされたときに、前記容器本体内の内容物が前記流出筒を通して内部に流入して一時的に貯留される有頂筒状の貯留体と、
前記流出筒をその径方向外側から囲繞し、かつ内部が前記貯留体内に連通するとともに、内容積が前記貯留体より小さい計量体と、
前記計量体の上方に前記貯留体と並べて配設され、前記容器本体が倒立状態にされたときに、前記計量体内の内容物が外部に吐出されるノズル部と、を備えていることを特徴とする定量吐出キャップ。
【請求項２】
前記流出筒の上端部の外面には、前記上端開口が窄まるように傾斜する傾斜面が設けられていることを特徴とする請求項１に記載の定量吐出キャップ。
【請求項３】
前記貯留体の天壁部の内面は、上方に向けて凸の曲面形状に形成されていることを特徴とする請求項１または２に記載の定量吐出キャップ。
【請求項４】
前記計量体の上端開口のうち、前記ノズル部側に位置する部分は遮蔽部により閉塞されていることを特徴とする請求項１〜３のいずれか１項に記載の定量吐出キャップ。
【請求項５】
流動性の内容物を収容する容器本体と、当該容器本体に取り付けられ、定量の内容物を吐出する定量吐出キャップと、を備えた定量吐出容器において、
前記定量吐出キャップは、下端開口が前記容器本体の内部に向けて開口し、上端開口を有する流出筒と、
前記流出筒の上方に設けられ、前記容器本体が倒立状態にされたときに、前記容器本体内の内容物が前記流出筒を通して内部に流入して一時的に貯留される有頂筒状の貯留体と、
前記流出筒をその径方向外側から囲繞し、かつ内部が前記貯留体内に連通するとともに、内容積が前記貯留体より小さい計量体と、
前記計量体の上方に前記貯留体と並べて配設され、前記容器本体が倒立状態にされたときに、前記計量体内の内容物が外部に吐出されるノズル部と、を備えていることを特徴とする定量吐出容器。
【発明の詳細な説明】
【技術分野】
【０００１】
この発明は、一定量の内容物を吐出できる定量吐出キャップ、及び、定量吐出容器に関する。
【背景技術】
【０００２】
洗剤や砂糖等の粉粒体を収容する容器として、容器本体の振り出し操作によって一定量の内容物を外部に吐出できるようにしたものが知られている（例えば、特許文献１参照）。
【０００３】
特許文献１に記載の定量吐出容器は、容器本体に取り付けられるキャップ部に、容器本体の倒立操作によって容器本体内の内容物を一定量移す計量体と、容器本体を正立操作することによって計量体内の内容物を一時的に貯留する貯留体と、貯留体から外部に内容物を吐出する吐出口と、を備えている。
この定量吐出容器は、容器本体の一度目の倒立操作によって内容物を計量体に一定量移し、つづく容器本体の正立操作によってその内容物を貯留体に移し、容器本体の再度の倒立操作によって貯留体内の一定量の内容物を吐出口から外部に吐出する。
【先行技術文献】
【特許文献】
【０００４】
【特許文献１】特開２００６−１５１４６１号公報
【発明の概要】
【発明が解決しようとする課題】
【０００５】
しかし、この従来の定量吐出容器は、容器本体の一度目の倒立操作によって内容物を計量体に移して計量を行い、その後に容器本体を正立操作することによってその内容物を貯留体に移すものであるため、計量体でほぼ正確に計量された内容物が容器本体を正立操作したときに容器本体側に一部戻されてしまう。このため、貯留体から吐出口を通して外部に吐出される内容物は計量体で計量した量よりも減少してしまう。
【０００６】
そこで、この発明は、正確な量の内容物を外部に吐出し易い定量吐出キャップ、及び、定量吐出容器を提供することを目的とする。
【課題を解決するための手段】
【０００７】
請求項１に係る定量吐出キャップの発明は、流動性の内容物を収容する容器本体に取り付けられ、定量の内容物を吐出する定量吐出キャップにおいて、下端開口が前記容器本体の内部に向けて開口し、上端開口を有する流出筒と、前記流出筒の上方に設けられ、前記容器本体が倒立状態にされたときに、前記容器本体内の内容物が前記流出筒を通して内部に流入して一時的に貯留される有頂筒状の貯留体と、前記流出筒をその径方向外側から囲繞し、かつ内部が前記貯留体内に連通するとともに、内容積が前記貯留体より小さい計量体と、前記計量体の上方に前記貯留体と並べて配設され、前記容器本体が倒立状態にされたときに、前記計量体内の内容物が外部に吐出されるノズル部と、を備えていることを特徴とするものである。
この発明では、最初に、容器本体が倒立操作されると、容器本体内の内容物が流出筒の上端開口を通して貯留体の内部に流入し、内容物が貯留体内に一時的に貯留される。次に、容器本体が正立操作されると、貯留体内の内容物が計量体内に流入し、このとき余剰分の内容物が流出筒の上端開口を通して容器本体内に戻される。これにより計量体内には一定量の内容物が計量されて貯留される。つづいて、容器本体が再度倒立操作されると、計量された一定量の内容物がノズル部から外部に吐出される。
【０００８】
請求項２に係る定量吐出キャップの発明は、請求項１に係る定量吐出キャップにおいて、前記流出筒の上端部の外面には、前記上端開口が窄まるように傾斜する傾斜面が設けられていることを特徴とするものである。
この請求項２に係る発明では、流出筒の周域においては、傾斜面により流出筒の上端部に向かって計量体の上部の開口面積が次第に拡大されるとともに、流出筒の上端開口の開口面積が次第に縮小される。このため、容器本体が倒立状態から正立状態に戻されるときには、内容物が貯留体から計量体側に流れ込み易くなり、計量体内が内容物で満たされた後には余剰分の内容物が流出筒の上端開口内に流入し易くなる。したがって、容器本体が正立状態に戻されるときには、計量体を内容物で確実に満たすことができるとともに、満たした後には余剰分の内容物を速やかに容器本体内に戻すことができる。
【０００９】
請求項３に係る定量吐出キャップの発明は、請求項１または２に係る定量吐出キャップにおいて、前記貯留体の天壁部の内面は、上方に向けて凸の曲面形状に形成されていることを特徴とするものである。
この請求項３に係る発明では、容器本体が倒立状態にされた後に正立状態に戻されると、貯留体内の内容物が当該貯留体の天壁部側の内面の曲面に沿って下方に流動する。このため、貯留体内の内容物は内面に沿って計量体側に流入し易くなり、計量体の中央に存在する流出筒の上端開口内には直接流入しにくくなる。したがって、容器本体が正立状態に戻されるときには、計量体を内容物で確実に満たすことができる。
【００１０】
請求項４に係る定量吐出キャップの発明は、請求項１〜３のいずれか１項に係る定量吐出キャップにおいて、前記計量体の上端開口のうち、前記ノズル部側に位置する部分は遮蔽部により閉塞されていることを特徴とするものである。
この請求項４に係る発明では、正立状態にある容器本体が、ノズル部が下方になるように徐々に傾けられると、計量体内の内容物がノズル部方向に向かって流動しノズル部から外部に吐出される。このとき、計量体の上端開口のうちノズル部側に位置する部分は遮蔽部によって閉塞されているため、計量体内の内容物が貯留体内に戻されるのを規制される。したがって、ノズル部から吐出される内容物の量はより正確なものとなる。
【００１１】
請求項５に係る定量吐出容器の発明は、流動性の内容物を収容する容器本体と、当該容器本体に取り付けられ、定量の内容物を吐出する定量吐出キャップと、を備えた定量吐出容器において、前記定量吐出キャップは、下端開口が前記容器本体の内部に向けて開口し、上端開口を有する流出筒と、前記流出筒の上方に設けられ、前記容器本体が倒立状態にされたときに、前記容器本体内の内容物が前記流出筒を通して内部に流入して一時的に貯留される有頂筒状の貯留体と、前記流出筒をその径方向外側から囲繞し、かつ内部が前記貯留体内に連通するとともに、内容積が前記貯留体より小さい計量体と、前記計量体の上方に前記貯留体と並べて配設され、前記容器本体が倒立状態にされたときに、前記計量体内の内容物が外部に吐出されるノズル部と、を備えていることを特徴とするものである。
【発明の効果】
【００１２】
この発明によれば、計量体で正確に計量した内容物をそのままノズル部から外部に吐出するため、常に正確な量の内容物を吐出することができる。
【図面の簡単な説明】
【００１３】
【図１】この発明の一実施形態の定量吐出容器の縦断面図である。
【図２】この発明の一実施形態の定量吐出容器の縦断面図である。
【図３】この発明の一実施形態の定量吐出容器の縦断面図である。
【図４】この発明の一実施形態の定量吐出容器の縦断面図である。
【図５】この発明の一実施形態の定量吐出キャップの遮蔽部材を示す平面図である。
【発明を実施するための形態】
【００１４】
以下、この発明の一実施形態を図面に基づいて説明する。
図１は、定量吐出容器１の正立状態での縦断面を示す図であり、図２は、定量吐出容器１の倒立状態での縦断面を示す図である。また、図３は、倒立状態から正立状態に移行する際の定量吐出容器１の縦断面を示す図であり、図４は、正立状態から倒立状態に移行する際の定量吐出容器１の縦断面を示す図である。
定量吐出容器１は、内容物２を収容する容器本体１０と、容器本体１０の口部１１に取り付けられる定量吐出キャップ１２と、を備えている。容器本体１０と定量吐出キャップ１２は樹脂材料によって形成されている。
【００１５】
ここで、定量吐出キャップ１２には、容器本体１０の口部１１の開口から容器本体１０の外側に向けて突出する流出筒１９が備えられている。以下においては、流出筒１９の中心軸ｏ方向に沿っての流出筒１９側を上側、容器本体１０の底部側を下側と言う。また、流出筒１９の中心軸ｏと直交する方向を径方向と言うものとする。また、容器についての「正立」とは、口部１１の開口が上方を向く姿勢のことを言い、「倒立」とは、口部１１の開口が下方を向く姿勢のことを言う。
容器本体１０は口部１１の外周に雄ねじ１３が形成されている。容器本体１０には、液体や粉粒体等の流動性の内容物２が収容されている。以下においては、内容物２は液体洗剤等の液体であるものとして説明する。
【００１６】
定量吐出キャップ１２は、容器本体１０の口部１１よりも一回り大きい有頂円筒状のキャップ本体部１４と、キャップ本体部１４の外周壁の一部に突設されたノズル部１５と、を備え、ノズル部１５の先端に吐出口１６が形成されている。キャップ本体部１４は、下端側の円筒壁１４ａの内周面に雌ねじ１７が形成され、その雌ねじ１７が容器本体１０の口部１１の雄ねじ１３に螺合されるようになっている。なお、図中符号１８は、キャップ本体部１４の円筒壁１４ａの内側に同軸に配置され、容器本体１０の口部１１内に嵌合されたシール筒である。前記シール筒１８は、キャップ本体部１４の内周壁から径方向内側に延設された環状フランジの下面から垂下されており、上記の流出筒１９はシール筒１８よりも小径に形成されるとともに、当該環状フランジの内縁から上方に立設されている。
【００１７】
キャップ本体部１４の内部の略下半部には、下端開口がシール筒１８を通して容器本体１０の内部に連通し上端開口１９ａが上方に開口する上記の流出筒１９と、流出筒１９の外周域において下方に凹状に窪んで形成された環状の計量体２０と、が設けられている。
キャップ本体部１４の内部の略上半部には、図２に示すように、容器本体１０が倒立状態にされたときに、容器本体１０内の内容物２が流出筒１９を通して流入して一時的に貯留される貯留体２１が設けられている。貯留体２１は、流出筒１９の上端開口１９ａの上方側において流出筒１９と同軸に設けられている。貯留体２１と計量体２０とは、計量体２０の周壁と流出筒１９の間の離間スペース（連通部）を通して連通している。また、貯留体２１の天壁部側（上方側）の内面は上方に凸の半球状の曲面形状に形成されている。
【００１８】
ノズル部１５の付根部側は、キャップ本体部１４の外周壁のうちの、流出筒１９の上縁部の径方向外側位置で連通している。したがって、ノズル部１５の付根部側領域は計量体２０の一部を構成している。
こうして構成される計量体２０とその上方側に配置される貯留体２１とは内容積が異なっており、上方側の貯留体２１の内容積は、下方側の計量体２０の内容積に対して充分に大きく設定されている。
計量体２０に貯留される内容物２は、貯留体２１から計量体２０に流れ込む内容物２が計量体２０を満たした後に、余剰の内容物２が流出筒１９の上端開口１９ａを通して容器本体１０に戻されることにより、常に一定量に維持される。
【００１９】
また、ノズル部１５は、計量体２０の上方では貯留体２１と径方向に並んで配設されている。このため、計量体２０に内容物２が充填された状態で、図４に示すように、ノズル部１５側が下方になるように容器本体１０が倒立方向に傾動操作されると、計量体２０内の内容物２がノズル部１５を通って吐出口１６から外部に吐出される。
ところで、計量体２０の周壁と流出筒１９の間の離間スペース（連通部）の一部には、樹脂製の別体の遮蔽部材２２（遮蔽部）が取り付けられている。
図５は、この遮蔽部材２２の単品を示す図である。
この遮蔽部材２２は、図５にも示すように、平面視が径方向の幅を有する円弧状に形成され、流出筒１９回りのノズル部１５に近接する側の領域に、その部分での計量体２０と貯留体２１の間の連通を遮断するように配置されている。このため、図４に示すように、容器本体１０が倒立方向に傾動操作されたときには、計量体２０内の内容物２がノズル部１５の付根部の近傍を通して貯留体２１側に流入することが遮蔽部材２２によって規制される。
ここで、この実施形態における遮蔽部材２２は、前記連通部における半周以上に設けられている。具体的には、前記遮蔽部材２２の円弧状部分は、流出筒１９を径方向で挟む略Ｕ字状に形成されており、この円弧部分は、ノズル部１５側から径方向において流出筒１９を超えるように延設されている。
なお、貯留体２１と計量体２０とは前述の離間スペースのうち遮蔽部材２２のない残余の領域３０で連通している。また、遮蔽部材２２の上面側には、流出筒１９の上端開口１９ａの周域を円弧状に取り囲むようにガイド溝２２ａが形成されている。このガイド溝２２ａは、容器本体１０が倒立状態から正立状態に変化したときに、遮蔽部材２２上の内容物２を上記の残余の領域３０に誘導する。
【００２０】
また、流出筒１９の上端部の外面には、上端が窄まるように傾斜する傾斜面２３が形成されている。この傾斜面２３は、流出筒１９の外周面のうちの、前記残余の領域３０を隔成する部分に設けられている。また、傾斜面２３は、少なくとも前記残余の領域３０の円周方向の全域に亙って設けられることが好ましい。この傾斜面２３により、計量体２０のうちの上記の残余の領域３０の開口面積が流出筒１９の上端部に向かって次第に拡大されるとともに、流出筒１９の上端開口１９ａの開口面積が上端部に向かって次第に縮小される。
【００２１】
また、この実施形態の定量吐出キャップ１２は、流出筒１９の直上部付近を境にしてキャップ本体部１４とノズル部１５の上半部と下半部とが半割状態で射出成形される。そして、上半部と下半部はヒンジ部２４で相互に連結されており、射出成形後に上半部と下半部の間に遮蔽部材２２を挟み込み、その状態でヒンジ部２４で１８０°折り曲げ、上半部と下半部とを凹凸嵌合することによって一体化されている。なお、図中Ｌは、上半部と下半部の境界線である。
なお、この実施形態では、流出筒１９の直上部付近を境にしてキャップ本体部１４とノズル部１５とが上半部と下半部に分割されて一つの金型で同時に射出成形できるため、製造効率が高められるとともに、流出筒１９の直上部付近で型割りされるため、計量体２０の周壁と流出筒１９の間の離間スペースに遮蔽部材２２を容易に組み付けることができる。
【００２２】
つづいて、この定量吐出容器１から内容物２が一定量吐出されるときの内容物２の実際の動きについて説明する。
最初に、定量吐出容器１が正立状態から倒立状態に操作されると、図２に示すように、容器本体１０内の内容物２が流出筒１９の上端開口１９ａを通して貯留体２１内に流入し、所定量の内容物２が貯留体２１内に一時的に貯留される。
次に、この状態から定量吐出容器１を正立状態に戻すように操作されると、図３に示すように、貯留体２１内の内容物２が流出筒１９の外側のスペースを通して計量体２０内に流入する。このとき、計量体２０の周壁と流出筒１９の間のスペースは遮蔽部材２２によって部分的に閉塞されているため、貯留体２１内の内容物２は残余の領域３０を通して計量体２０に流入する。
また、このとき内容物２は中央の流出筒１９の上端開口１９ａを通して一部が直接容器本体１０内に戻されるが、定量吐出容器１を倒立状態から正立状態に姿勢変化させたときには、貯留体２１内の内容物２は貯留体２１の天壁部の半球状の曲面に沿って下方に流動しようとするため、容器本体１０への戻り量は少なく抑えられる。また、遮蔽部材２２上の内容物２はガイド溝２２ａに沿って計量体２０方向に流動する。
【００２３】
ここで、貯留体２１の内容積は計量体２０の内容積よりも充分に大きく設定されているため、上述のようにして計量体２０内が内容物２によって満たされると（図１参照）、その後は残余の内容物２が流出筒１９の上端開口１９ａから溢れてすべて容器本体１０内に戻される。この結果、計量体２０内には一定量の内容物２が正確に計量されて貯留されることになる。
【００２４】
つづいて、この状態から図４に示すようにノズル部１５が下方になるようにして定量吐出容器１が次第に倒立状態となるように操作されると、計量体２０内の内容物２がノズル部１５の吐出口１６を通して外部に吐出される。このとき、吐出口１６からは計量体２０で計量された正確な量の内容物２が吐出されることになる。
また、こうして定量吐出容器１が倒立状態に操作されると、図４に示すように容器本体１０内の内容物２が貯留体２１に流入し始め、次の定量吐出に備えられる。
【００２５】
以上のように、この定量吐出容器１（定量吐出キャップ１２）においては、定量吐出容器１が倒立状態から正立状態に戻されるときに、貯留体２１内の内容物２が計量体２０内に流入し、計量体２０の内容量を超える内容物２が流出筒１９の上端開口１９ａを通して容器本体１０内に戻される構造とされているため、常に正確な量の内容物２を吐出口１６から外部に吐出することができる。
【００２６】
また、この定量吐出容器１（定量吐出キャップ１２）では、流出筒１９の上端部の外面に、上端が窄まるように傾斜する傾斜面２３が設けられているため、定量吐出容器１が倒立状態から正立状態に戻されるときに、貯留体２１から計量体２０に内容物２が流入し易くなるとともに、計量体２０に内容物２が満たされた後には、余剰分の内容物２が流出筒１９の上端開口１９ａ内に流入し易くなる。このため、この実施形態の場合、定量吐出容器１が正立状態に戻されるときに、計量体２０内に内容物２を確実に満たすことができるとともに、満たした後には余剰の内容物２を迅速に容器本体１０に戻すことができる。
【００２７】
さらに、この実施形態の定量吐出容器１（定量吐出キャップ１２）においては、貯留体２１の天壁部の内面が上方に凸の半球状の曲面形状に形成されているため、定量吐出容器１が倒立状態から正立状態に戻されるときに、貯留体２１内の内容物２を貯留体２１の内壁に沿わせて流下させ、流出筒１９の上端開口１９ａへの内容物２の直接的な流入を抑制することができる。したがって、計量体２０内に内容物２をより確実に満たすことができる。
【００２８】
また、この定量吐出容器１（定量吐出キャップ１２）においては、流出筒１９の上端部の外周と計量体２０の周壁の間の吐出口１６に近接する側の領域を閉塞する閉塞部材２２が設けられているため、吐出口１６から内容物２を吐出する際に、計量体２０から貯留体２１に内容物２が流入するのを規制することができる。したがって、吐出口１６から吐出される内容物２の量をより一定にすることができる。
【００２９】
なお、この発明は上記の実施形態に限定されるものではなく、その要旨を逸脱しない範囲で種々の設計変更が可能である。
例えば、上記の実施形態においては、遮蔽部材２２は流出筒１９の外側を取り囲むように一定幅の円弧状に形成されていたが、遮蔽部材２２を配置する範囲は適宜設定することが可能であり、定量吐出キャップ１２と一体成形で形成しても良い。
【符号の説明】
【００３０】
１  定量吐出容器
２  内容物
１０  容器本体
１２  定量吐出キャップ
１５  ノズル部
１９  流出筒
１９ａ  上端開口
２０  計量体
２１  貯留体
２２  遮蔽部材（遮蔽部）
２３  傾斜面
【図１】
2013249109.tif 000003
【図２】
2013249109.tif 000004
【図３】
2013249109.tif 000005
【図４】
2013249109.tif 000006
【図５】
2013249109.tif 000007